(57)【要約】      （修正有）【課題】道糸とヤエンの侠角を自在に調節することができ、様々な釣り方や状況に対応できるイカ釣り用ヤエンを提供する。【解決手段】主軸２と掛け針１及び第一支柱３、第二支柱４を本体とし、折り曲げた主軸２の後部にスライド調節用チューブ７を差し込み、これにスライド式第三支柱５を差し込み、スライド式第三支柱５の下方をＬ型に折り曲げ、この折り曲げ部を主軸２から出すスライド枠金具６で挟み込むことで、回転する問題のない高さを自在に調節できるスライド式第三支柱５を有し、結果、ヤエンと道糸の挟角２ａが調節できる。また、第一支柱３は長穴とするが、これはスライド式第三支柱５から第二支柱４に通した道糸９の角度、つまりはヤエンと道糸の挟角２ａを損なわないためである。【選択図】図１
0003149779.tif 000002
【実用新案登録請求の範囲】
【請求項１】
主軸と掛け針及び道糸通し部である前方の支柱を本体とし、主軸の後部は道糸通し部である支柱とは反対方向に折り曲げ、この折り曲げ部に弾性に富むチューブ等を差し込む。進行方向に対し最後部にある道糸通し部である後方支柱を、このチューブ等に差し込むことで、スライド式に後方支柱の高さを調節することを可能にし、結果、支柱間に通した道糸とヤエンの挟角が調節できることを特徴とするイカ釣り用ヤエン。
【請求項２】
但し、請求項１に示した構造のままでは、最後部にあるスライド式で高さが調節できる後方支柱が回転するという問題が起こり得るため、後方支柱の下方を折り曲げ、この折り曲げ部を主軸から出す２本の棒で挟み込むことにより、後方支柱が回転するという問題を解決した請求項１に記載のイカ釣り用ヤエン。
【請求項３】
直進性の安定や跳ね上げ効果を狙って、道糸通し部である前方の支柱を２本設ける場合は、進行方向に対し先頭にある一番目の支柱の糸通し穴を長穴にすることで、最後部にあるスライド式で高さが調節できる後方支柱から、中間にある二番目の支柱に通した道糸の角度を損なうことがないようにした請求項１に記載のイカ釣り用ヤエン。
【考案の詳細な説明】
【技術分野】
【０００１】  本発明はイカ釣りに用いられるヤエンに関する。
【背景技術】
【０００２】  ヤエン釣りは道糸の先に餌魚を付け海中で泳がせ、イカが餌魚に食いついてから、ヤエンと呼ばれる道具を道糸に引っ掛け、イカのところまで滑降させ、ヤエンの掛け針で引っ掛けて捕獲するという釣法である。ヤエン釣りは他の釣法に比べアタリが多い釣法であるが、一方では、状況に応じたヤエンの選択や様々な戦略が必要となり、捕獲できる確立が低い釣法でもある。【０００３】  ヤエン釣りの釣果は、ヤエンの形状や、道糸とヤエンの挟角に負うところが大きく、様々な形状のヤエンが提案されている。
【考案の開示】
【考案が解決しようとする課題】
【０００４】  従来のヤエンには次に挙げるような問題があった。【０００５】  従来のヤエンは、道糸とヤエンの挟角を変えることができず、道糸の張り具合や道糸の角度、更にはイカの大きさに応じたヤエンの沈降角度調節ができなかった。【０００６】  また、ヤエン釣りは釣り人によりイカの掛け方が違うのも特徴である。例えば、道糸を張らずヤエンを滑降させ、イカに到達した時にアワセを行い道糸を張りイカを掛ける方法。この掛け方の場合は、掛け針ができるだけ道糸、つまりはイカに近い方が道糸を張った際に掛け針が掛かりやすく好ましい。また、道糸を張り気味にヤエンを滑降させ、イカに到達した時に道糸を緩め、重力でヤエンの後方を下げ、逆に跳ね上がった前方の掛け針でイカを掛ける方法。この掛け方の場合は、掛け針が道糸からある程度離れている方が好ましい。なぜなら、ヤエンが滑降する際、張った道糸に掛け針が絡む問題が発生することを防止でき、かつ、確実にイカの下側にヤエンを送り込むことが可能だからである。【０００７】  本考案は、道糸とヤエンの挟角を自在に調節することができ、様々な釣り方や状況に対応できるイカ釣り用ヤエンを提供するものである。
【課題を解決するための手段】
【０００８】  本考案のイカ釣り用ヤエンは次のような構成を有する。【０００９】  主軸と掛け針及び道糸通し部である前方の支柱を本体とし、主軸の後部は道糸通し部である支柱とは反対方向にＬ型に折り曲げ、この折り曲げ部に弾性に富むチューブ等を差し込む。進行方向に対し最後部にある道糸通し部である後方支柱を、このチューブに差し込むことで、スライド式に後方支柱の高さを調節することを可能とし、結果、支柱間に通した道糸とヤエンの挟角が調節できるものとする。【００１０】  但し、このままでは最後部にあるスライド式で高さが調節できる後方支柱が回転するという問題が起こり得るため、後方支柱の下方をＬ型に折り曲げ、この折り曲げ部を主軸から出す２本の棒で挟み込むことにより、後方支柱が回転するという問題を解決する。【００１１】  直進性の安定や跳ね上げ効果を狙って、道糸通し部である前方の支柱を２本設ける場合は、進行方向に対し先頭にある一番目の支柱の糸通し穴を長穴にすることで、最後部にあるスライド式で高さが調節できる後方支柱から、中間にある二番目の支柱に通した道糸の角度を損なうことを防止できる。
【考案の効果】
【００１２】  前記した構成により、回転等の問題のないスライド式に高さが調節できる後方支柱を有す、道糸とヤエンの挟角を自在に調節することができ、様々な釣り方や状況に幅広く対応できるイカ釣り用ヤエンが提供できる。
【考案を実施するための最良の形態】
【００１３】  前方の支柱を、高さが調節できるスライド式とする構造も検討したが、イカとの引き合いの力が最も加わる部分のため強度面に不安がある点、また、わずかな支柱の高さの違いで、道糸とヤエンの挟角が大きく変わってしまい微調節が困難な点から、後方の支柱を高さが調節できるスライド式とすることが最良と判断した。【００１４】  また、後方の支柱に糸通し穴を複数設け、通す糸通し穴により支柱を高さが調節できる構造、或は後方の支柱の横に凹凸を設け、これを主軸に引っ掛け鍵式に支柱の高さが調節できる構造も検討したが、支柱の高さが段階式にしか調節できず、微調節ができないため、自在な調節が可能な、主軸に取り付けた弾性に富むチューブ等に後方の支柱を差し込む構造を最良と判断した。【００１５】  本考案のイカ釣り用ヤエンは海水で使用するため、錆びに強いステンレス製が望ましい。また、スライド式に高さが調節できる後方支柱に使用するチューブは弾性に富み、耐候性に富むシリコンチューブ等が望ましい。
【実施例】
【００１６】  以下、添付図面に従って一実施例を説明する。【００１７】  図１は本考案のイカ釣り用ヤエンのスライド式第三支柱５を中程度の高さに調節した状態を示す斜視図である。図１に示す通り、本ヤエンは主軸２と掛け針１及び第一支柱３、第二支柱４、スライド枠金具６を本体とし、スライド式第三支柱５とスライド調節用チューブ７、バランス調節オモリ８からなる支柱高さ調節部から構成される。【００１８】  主軸２と、第一支柱３、第二支柱４、スライド枠金具６はそれぞれ溶接されており固定されている。【００１９】  これに対し、スライド式第三支柱５は、主軸２の後部に差し込まれたスライド調節用チューブ７に差し込みＬ型に折り曲げているだけで自在なスライドが可能で、主軸からのスライド式第三支柱の高さ５ａを調節できる。【００２０】  この主軸からのスライド式第三支柱の高さ５ａの高低により、支柱間を通過する道糸９の角度が調節でき、結果、ヤエンと道糸の挟角２ａが調節できる。【００２１】  図２は本考案のイカ釣り用ヤエンのスライド式第三支柱５を最も高く調節した状態を示し、図３は本考案のイカ釣り用ヤエンのスライド式第三支柱５を最も低く調節した状態を示し、図１は本考案のイカ釣り用ヤエンのスライド式第三支柱５を中程度の高さに調節した状態を示しており、それぞれヤエンと道糸の挟角２ａが調節可能なことが分かる。【００２２】  また、図４の本考案のイカ釣り用ヤエンのスライド式第三支柱５の拡大図に示す通り、固定していないスライド式第三支柱５が回転する問題を防ぐために、主軸２の後方より出したスライド枠金具６でスライド式第三支柱５の端部を挟み込んでいる。【００２３】  また、図１の本考案のイカ釣り用ヤエンのスライド式第三支柱５を中程度の高さに調節した状態を示す斜視図に示す通り、直進性の安定や跳ね上げ効果を狙って、道糸通し部である前方の支柱を２本設けており、そのうち進行方向に対し先頭にある第一支柱３の糸通し穴を長穴にしている。これは、高さが変えられるスライド式第三支柱５から、第二支柱４に通した道糸９の角度、つまりはヤエンと道糸の挟角２ａを損なわないための構造である。【００２４】  本考案のイカ釣り用ヤエンは前述の如き構成からなるものであり、スライド式第三支柱５の高さを調節することで、ヤエンと道糸の挟角２ａが自在に変えられ、様々な釣り方や状況に対応できる画期的なイカ釣り用ヤエンである。
【図面の簡単な説明】
【００２５】
【図１】本考案のイカ釣り用ヤエンのスライド式第三支柱５を中程度の高さに調節した状態を示す斜視図である。
【図２】本考案のイカ釣り用ヤエンのスライド式第三支柱５を最も高く調節した状態を示す斜視図である。
【図３】本考案のイカ釣り用ヤエンのスライド式第三支柱５を最も低く調節した状態を示す斜視図である。
【図４】本考案のイカ釣り用ヤエンのスライド式第三支柱５の拡大図である。
【符号の説明】
【００２６】  １  掛け針
２  主軸
３  第一支柱
４  第二支柱
５  スライド式第三支柱
６  スライド枠金具
７  スライド調節用チューブ
８  バランス調節オモリ
９  道糸
２ａ  ヤエンと道糸の挟角
５ａ  主軸からのスライド式第三支柱の高さ
【図１】
0003149779.tif 000003
【図２】
0003149779.tif 000004
【図３】
0003149779.tif 000005
【図４】
0003149779.tif 000006
【手続補正書】
【提出日】平成21年1月14日(2009.1.14)
【手続補正１】
【補正対象書類名】実用新案登録請求の範囲
【補正対象項目名】全文
【補正方法】変更
【補正の内容】
【実用新案登録請求の範囲】
【請求項１】
主軸と掛け針及び道糸通し部である前方の支柱を本体とし、主軸の後部は道糸通し部である支柱とは反対方向に折り曲げ、この折り曲げ部に弾性に富むチューブ等を差し込み、進行方向に対し最後部にある道糸通し部である後方支柱を、このチューブ等に差し込むことで、スライド式に後方支柱の高さを調節することを可能にし、結果、支柱間に通した道糸とヤエンの挟角が調節できることを特徴とするイカ釣り用ヤエン。
【請求項２】
直進性の安定や跳ね上げ効果を狙って、道糸通し部である前方の支柱を２本設ける場合は、進行方向に対し先頭にある一番目の支柱の糸通し穴を長穴にすることで、最後部にあるスライド式で高さが調節できる後方支柱から、中間にある二番目の支柱に通した道糸の角度を損なうことがないようにした請求項１に記載のイカ釣り用ヤエン。